(57)【要約】【課題】  作業空間の快適性を維持することが可能な照明制御技術を提供する。【解決手段】  照明機器を制御する照明制御装置であって、所定周期で照度センサにより測定される照度データに基づいて、該照度センサが配された位置における所定周期ごとの実外光照度を算出する実外光照度算出部６０１と、前記算出された実外光照度の単位時間あたりの変化量が所定量を超えた場合に、該所定量を超える前の実外光照度を用いて、前記照度センサが配された位置を含む作業空間の各位置における実外光照度を推定する実外光照度推定部６０３と、を有し、前記作業空間の各位置における実外光照度の推定値に基づいて、前記照明機器を制御することを特徴とする。【選択図】図６
2016042423.tif 000002
【特許請求の範囲】
【請求項１】
照明機器を制御する照明制御装置であって、
所定周期で照度センサにより測定される照度データに基づいて、該照度センサが配された位置における所定周期ごとの実外光照度を算出する算出手段と、
前記算出された実外光照度の単位時間あたりの変化量が所定量を超えた場合に、該所定量を超える前の実外光照度を用いて、前記照度センサが配された位置を含む作業空間の各位置における実外光照度を推定する推定手段と、を有し、
前記作業空間の各位置における実外光照度の推定値に基づいて、前記照明機器を制御することを特徴とする照明制御装置。
【請求項２】
前記推定手段は、
前記算出された実外光照度の単位時間あたりの変化量が前記所定量を超えている状態が連続した場合に、前記所定量を超える前の実外光照度を用いて、前記照度センサが配された位置を含む作業空間の各位置における実外光照度を推定する処理を、所定時間継続することを特徴とする請求項１に記載の照明制御装置。
【請求項３】
前記算出手段は、
前記実外光照度を推定する処理を所定時間継続した後に、前記照度センサにより測定される照度データに基づいて、前記照度センサが配された位置における実外光照度を算出し、
前記推定手段は、
前記実外光照度を推定する処理を所定時間継続した後に算出された実外光照度と、前記所定量を超える前の実外光照度に太陽高度の変化に応じた実外光照度の変化量を加えた照度と、を比較し、
比較結果に応じて、前記所定量を超える前の実外光照度を用いて、前記照度センサが配された位置を含む作業空間の各位置における実外光照度を推定する処理を、継続するか否かを判定することを特徴とする請求項２に記載の照明制御装置。
【請求項４】
前記推定手段は、
前記算出された実外光照度の単位時間あたりの変化量が前記所定量を超えて以降は、前記所定量を超えた変化量を補正量として、前記算出された実外光照度を補正したうえで、前記作業空間の各位置における実外光照度を推定することを特徴とする請求項１に記載の照明制御装置。
【請求項５】
前記推定手段は、
前記算出された実外光照度の単位時間あたりの変化量が所定量以下であった場合に、前記算出された実外光照度を用いて、前記照度センサが配された位置を含む作業空間の各位置における実外光照度を推定することを特徴とする請求項１に記載の照明制御装置。
【請求項６】
所定周期で照度データを測定する照度センサと、照明機器と、該照明機器を制御する照明制御装置と、を有する照明制御システムであって、
所定周期で前記照度センサにより測定される照度データに基づいて、前記照度センサが配された位置における所定周期ごとの実外光照度を算出する算出手段と、
前記算出された実外光照度の単位時間あたりの変化量が所定量を超えた場合に、該所定量を超える前の実外光照度を用いて、前記照度センサが配された位置を含む作業空間の各位置における実外光照度を推定する推定手段と、を有し、
前記作業空間の各位置における実外光照度の推定値に基づいて、前記照明機器を制御することを特徴とする照明制御システム。
【請求項７】
照明機器を制御する照明制御方法であって、
所定周期で照度センサにより測定される照度データに基づいて、該照度センサが配された位置における所定周期ごとの実外光照度を算出する算出工程と、
前記算出された実外光照度の単位時間あたりの変化量が所定量を超えた場合に、該所定量を超える前の実外光照度を用いて、前記照度センサが配された位置を含む作業空間の各位置における実外光照度を推定する推定工程と、を有し、
前記作業空間の各位置における実外光照度の推定値に基づいて、前記照明機器を制御することを特徴とする照明制御方法。
【請求項８】
照明機器を制御する照明制御装置のコンピュータに、
所定周期で照度センサにより測定される照度データに基づいて、該照度センサが配された位置における所定周期ごとの実外光照度を算出する算出工程と、
前記算出された実外光照度の単位時間あたりの変化量が所定量を超えた場合に、該所定量を超える前の実外光照度を用いて、前記照度センサが配された位置を含む作業空間の各位置における実外光照度を推定する推定工程と、を実行させるためのプログラムであって、
前記作業空間の各位置における実外光照度の推定値に基づいて、前記照明機器を制御することを特徴とするプログラム。
【発明の詳細な説明】
【技術分野】
【０００１】
本発明は、照明制御システム、照明制御装置、照明制御方法及びプログラムに関する。
【背景技術】
【０００２】
近年、ＬＥＤ照明等の照明機器の調光機能を利用して省エネを実現する照明制御システムが広く普及している。また、省エネを目的とした照明機器の制御技術についても種々の提案がなされている。例えば、下記特許文献１には、外光（太陽光）に応じてＬＥＤ照明の明るさを連続的に制御する照明制御技術が提案されている。
【０００３】
当該照明制御技術では、まず、複数の位置に配された照度センサにより測定された照度データから、照明機器分の照度を減算することで、照度センサが配された位置における実外光照度を算出する。そして、外光照度推定式に基づいて、対象空間全体の各位置における実外光照度の推定値を算出し、算出した実外光照度の推定値と目標照度との差分を補うように、照明機器を制御する。この結果、外光（太陽光）を効率的に利用した照明機器の制御を実現することができる。
【発明の概要】
【発明が解決しようとする課題】
【０００４】
しかしながら、複数の位置に照度センサを配する構成の場合、例えば、外光に近い側に配された照度センサについては、直射日光が入射する等の外乱が発生することが想定される。特に、オフィス等の作業空間の場合、ブラインドの隙間等から直接外光が照度センサに入射したり、対向する建物の窓ガラスに反射した光が直接照度センサに入射するといった事象が想定される。
【０００５】
このように、照度センサに直射日光が入射した場合、上記外光照度推定式を用いて算出される実外光照度の推定値には、誤差が含まれることとなる。このため、例えば、外光に近い側においては、充分な照度が得られたと誤判断され、照明機器の照度を下げるよう制御し、外光から離れた側では十分な照度が得られていないと誤判断され、照明機器の照度を上げるよう制御する。この結果、作業空間の一部が必要以上に暗くなったり、過剰に明るくなったりするなど、作業空間の快適性が損なわれることとなる。
【０００６】
本発明は上記課題に鑑みてなされたものであり、作業空間の快適性を維持することが可能な照明制御技術を提供することを目的とする。
【課題を解決するための手段】
【０００７】
本発明の実施形態に係る照明制御装置は、以下のような構成を有する。すなわち、
照明機器を制御する照明制御装置であって、
所定周期で照度センサにより測定される照度データに基づいて、該照度センサが配された位置における所定周期ごとの実外光照度を算出する算出手段と、
前記算出された実外光照度の単位時間あたりの変化量が所定量を超えた場合に、該所定量を超える前の実外光照度を用いて、前記照度センサが配された位置を含む作業空間の各位置における実外光照度を推定する推定手段と、を有し、
前記作業空間の各位置における実外光照度の推定値に基づいて、前記照明機器を制御することを特徴とする。
【発明の効果】
【０００８】
本発明の各実施形態によれば、作業空間の快適性を維持することが可能になる。
【図面の簡単な説明】
【０００９】
【図１】照明制御システムの全体構成を示す図である。
【図２】照明機器及び照度センサの平面配置を示す図である。
【図３】サーバ装置のハードウェア構成を示す図である。
【図４】作業空間の各位置における実外光照度の推定値について説明するための図である。
【図５】サーバ装置の機能構成を示す図である。
【図６】照明制御システムの制御ブロックを示す図である。
【図７】算出される実外光照度の推定値の時間変化の一例を示す図である。
【図８】照度データ解析部における解析処理の概要を説明するための図である。
【図９】照度データ解析部における解析処理の概要を説明するための図である。
【図１０】照度データ解析部における解析処理の概要を説明するための図である。
【図１１】照度データ解析部による解析処理の流れを示すフローチャートである。
【図１２】照度データ解析部による解析処理の流れを示すフローチャートである。
【図１３】直射日光が入射された場合の制御値の一例を示す図である。
【発明を実施するための形態】
【００１０】
以下、本発明の各実施形態について添付の図面を参照しながら説明する。なお、各実施形態に係る明細書及び図面の記載に際して、実質的に同一の機能構成を有する構成要素については、同一の符号を付することにより重複した説明を省く。
【００１１】
［第１の実施形態］
＜１．照明制御システムの全体構成＞
はじめに、照明制御システムの全体構成について説明する。図１は、照明制御システムの全体構成を示す図である。
【００１２】
図１に示すように、照明制御システム１００は、照明制御装置として機能するサーバ装置１１０と、照明機器１２０＿１〜１２０＿ｎと、照度センサ１２１＿１〜１２１＿ｍとを有する（ｎ、ｍは任意の整数）。また、照明制御システム１００は、照明機器１３０＿１〜１３０＿ｉと、照度センサ１３１＿１〜１３１＿ｊとを有する（ｉ、ｊは任意の整数）。
【００１３】
サーバ装置１１０と、照明機器１２０＿１〜１２０＿ｎ、１３０＿１〜１３０＿ｉ及び照度センサ１２１＿１〜１２１＿ｍ、１３１＿１〜１３１＿ｊとは、ネットワーク１４０を介して接続されている。
【００１４】
照明機器１２０＿１〜１２０＿ｎ及び照度センサ１２１＿１〜１２１＿ｍは、作業空間１２０に配置され、照明機器１３０＿１〜１３０＿ｉ及び照度センサ１３１＿１〜１３１＿ｊは、作業空間１３０に配置される。作業空間１２０、１３０は、例えばオフィス等における所定の執務室や会議室等を指す。
【００１５】
なお、図１では、サーバ装置１１０が、作業空間１２０、１３０に配置された照明機器及び照度センサと接続される照明制御システムについて示した。しかしながら、サーバ装置１１０が接続される照明機器及び照度センサは、作業空間１２０、１３０の照明機器及び照度センサに限られない。作業空間１２０、１３０以外の作業空間の照明機器及び照度センサが接続されてもよいし、作業空間１２０または作業空間１３０のいずれか一方の照明機器及び照度センサのみが接続されてもよい。
【００１６】
照明機器１２０＿１〜１２０＿ｎ、１３０＿１〜１３０＿ｉは、例えば、ＬＥＤ（Light Emitting Diode）を使用した照明機器であり、調光機能を有するものとする。照明機器１２０＿１〜１２０＿ｎ、１３０＿１〜１３０＿ｉは、サーバ装置１１０により、明るさが連続的に制御される。
【００１７】
照度センサ１２１＿１〜１２１＿ｍ、１３１＿１〜１３１＿ｊは、例えば、フォトダイオードにアンプ回路を付加してなるセンサであり、作業空間１２０、１３０内の複数の位置それぞれにおいて所定周期ごとに明るさを感知し、照度データを出力する。
【００１８】
サーバ装置１１０は、照明制御プログラム１１１と推定値情報ＤＢ１１２とを有する。照明制御プログラム１１１は、作業空間１２０に配置された照度センサ１２１＿１〜１２１＿ｍから送信される照度データに基づいて、作業空間１２０に配置された照明機器１２０＿１〜１２０＿ｎの明るさを制御する。
【００１９】
また、照明制御プログラム１１１は、作業空間１３０に配置された照度センサ１３１＿１〜１３１＿ｊから送信される照度データに基づいて、作業空間１３０に配置された照明機器１３０＿１〜１３０＿ｉの明るさを制御する。
【００２０】
推定値情報ＤＢ１１２は、照明制御プログラム１１１が照明機器１２０＿１〜１２０＿ｎ、１３０＿１〜１３０＿ｉの明るさを制御するにあたり算出された、作業空間１２０、１３０内の各位置における実外光照度の推定値を格納する。
【００２１】
なお、以下では、説明の簡略化のため、作業空間１２０における照明機器１２０＿１〜１２０＿ｎの照明制御について説明する（作業空間１３０における照明制御は、作業空間１２０における照明制御と基本的に同じであるため、説明を省略する）。
【００２２】
＜２．作業空間における照明機器及び照度センサの平面配置＞
作業空間１２０における照明機器及び照度センサの平面配置について説明する。図２は、作業空間１２０における照明機器及び照度センサの平面配置の一例を示す図である。
【００２３】
図２の例において、作業空間１２０には、着座した作業者が作業を行う机（図中の点線）が４つずつ６列配置されている。また、６列の机は、対向する２列ごとにわかれて配置されており、照明機器（２本で１組の照明機器）は、対向する２列の机の真上に位置する天井部分に、それぞれ配置されている。このため、図２の例では、作業空間１２０に１２個の照明機器が配置されている。
【００２４】
作業空間１２０の南側（紙面下側）の壁には、窓２０１〜２０３が設けられており、それぞれの窓２０１〜２０３には、それぞれブラインド（不図示）が開閉可能に設けられている。
【００２５】
更に、照明機器１２０＿３及び照明機器１２０＿４の下に位置する机には、それぞれ、照度センサ１２１＿１、１２１＿２が配置されている。同様に、照明機器１２０＿７及び照明機器１２０＿８の下に位置する机には、それぞれ、照度センサ１２１＿３、１２１＿４が配置されている。また、照明機器１２０＿１１及び照明機器１２０＿１２の下に位置する机には、それぞれ、照度センサ１２１＿５、１２１＿６が配置されている。
【００２６】
＜３．サーバ装置＞
次にサーバ装置１１０のハードウェア構成について説明する。図３は、サーバ装置１１０のハードウェア構成を示す図である。図３に示すように、サーバ装置１１０は、ＣＰＵ（Central Processing Unit）３０１、ＲＯＭ（Read Only Memory）３０２、ＲＡＭ（Random Access Memory）３０３、記憶部３０４を備える。更に、サーバ装置１１０は、ネットワークインタフェース部３０５、表示部３０６、操作部３０７を備える。なお、サーバ装置１１０の各部は、バス３０８を介して相互に接続されている。
【００２７】
ＣＰＵ３０１は、記憶部３０４に格納された各種プログラム（例えば、照明制御プログラム１１１）を実行するコンピュータである。
【００２８】
ＲＯＭ３０２は不揮発性メモリである。ＲＯＭ３０２は、記憶部３０４に格納された各種プログラムを、ＣＰＵ３０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００２９】
ＲＡＭ３０３は、ＤＲＡＭ（Dynamic Random Access Memory）やＳＲＡＭ（Static Random Access Memory）等の主記憶装置である。ＲＡＭ３０３は、記憶部３０４に格納された各種プログラムがＣＰＵ３０１によって実行される際に展開される、作業領域として機能する。
【００３０】
記憶部３０４は、ＣＰＵ３０１により実行される各種プログラム及び各種プログラムがＣＰＵ３０１により実行される際に利用される各種情報（例えば、推定値情報ＤＢ１１２）を格納する。
【００３１】
ネットワークインタフェース部３０５は、ネットワーク１４０に接続するためのインタフェースである。サーバ装置１１０は、ネットワークインタフェース部３０５を介して、照度センサ１２１＿１〜１２１＿ｍから送信される照度データを受信する。また、サーバ装置１１０は、ネットワークインタフェース部３０５を介して、照明機器１２０＿１〜１２０＿ｎに対して制御値を送信する。
【００３２】
表示部３０６は、サーバ装置１１０が有する各種情報を表示する。操作部３０７は、サーバ装置１１０に各種指示を入力する際に用いられる。
【００３３】
＜４．実外光照度の推定値＞
次に、外光照度推定式に基づいて算出される、作業空間１２０内の各位置における実外光照度の推定値について説明する。図４は、作業空間１２０内の各位置における実外光照度の推定値を算出する方法を説明するための図である。このうち、図４（ａ）は、窓２０１から入射する太陽光による作業空間１２０内の各位置における実外光照度を、平面座標（窓２０１からの距離）を変数として推定した様子を示している。また、図４（ｂ）は、作業空間１２０のうち、照明機器１２０＿１〜１２０＿４が配置された列を、真横から見た様子を示している。
【００３４】
一般に、作業空間１２０内の実外光照度ｌｘは窓２０１に近いほど高く、窓２０１から離れるほど低くなり、窓２０１からの距離ｘに対する分布は下記の外光照度推定式により表すことができる。
（式１）  ｌｘ＝ａ×ｅｘｐ（−ｂ×ｘ）
なお、ａ、ｂは作業空間１２０の特性や照度センサ１２１＿１、１２１＿２の配置位置、天気等の条件によって定められる係数である。
【００３５】
ここで、サーバ装置１１０では、２つの照度センサ１２１＿１、１２１＿２により測定される照度データと、照明機器１２０＿１〜１２０＿４の明るさを制御する制御値とに基づいて、２つの照度センサが配された位置における実外光照度を算出することができる。
【００３６】
具体的には、照度センサ１２１＿１により測定される照度データから、制御値に基づいて導出される照度センサ１２１＿１が配された位置における照明機器の照度を減算することで、照度センサ１２１＿１が配された位置における実外光照度を算出することができる。同様に、照度センサ１２１＿２により測定される照度データから、制御値に基づいて導出される照度センサ１２１＿２が配された位置における照明機器の照度を減算することで、照度センサ１２１＿２が配された位置における実外光照度を算出することができる。
【００３７】
２つの照度センサ１２１＿１、１２１＿２は、窓２０１からの距離が異なるため、２つの照度センサ１２１＿１、１２１＿２のそれぞれの照度データを用いることで、外光照度推定式（式１）の係数ａ、ｂを決定することができる。そして、係数ａ、ｂを決定することで導出される外光照度推定式（式１）を用いることで、作業空間１２０内の各位置における推定値を算出することができる。
【００３８】
図４（ａ）の例は、照度センサ１２１＿１により測定された照度データに基づいて算出された、照度センサ１２１＿１が配された位置における実外光照度が３００［ｌｘ］であることを示している（図中の右側の黒三角参照）。また、照度センサ１２１＿２により測定された照度データに基づいて算出された、照度センサ１２１＿１が配された位置における実外光照度が５００［ｌｘ］であることを示している（図中の左側の黒三角参照）。図４（ａ）に示すように、照度センサ１２１＿１、１２１＿２が配された位置における実外光照度が算出されることで、作業空間１２０内の各位置における実外光照度の推定値として、実線４００を算出することができる。
【００３９】
このように、窓２０１から離れた各位置での実外光照度の推定値が算出されると、サーバ装置１１０では、各位置での照度の目標値との差分値を導き出すことができる。この結果、サーバ装置１１０では、当該差分値を補うように、照明機器１２０＿１〜１２０＿４の明るさを制御することで、作業空間１２０における照明機器１２０＿１〜１２０＿４が配置された列における明るさを所望の明るさに制御することができる。
【００４０】
続いて、照度センサ１２１＿２に直射日光が入射した場合について説明する。図４（ａ）に示すように直射日光が入射した場合、照度センサ１２１＿２により測定された照度データに基づいて算出される、照度センサ１２１＿２が配された位置における実外光照度は１７００［ｌｘ］となる（図中の左側の白四角参照）。また、直射日光が照射されていない照度センサ１２１＿１により測定された照度データに基づいて算出される、照度センサ１２１＿１が配された位置における実外光照度は３００［ｌｘ］となる（図中の右側の白四角参照）。この場合、窓２０１から離れた各位置での実外光照度の推定値は、図４（ａ）の点線４００'で示すとおりとなる。
【００４１】
照度センサ１２１＿２に直射日光が入射し、照度センサ１２１＿２の位置で算出される実外光照度が高くなると、点線４００'に示すように窓２０１から離れた各位置での実外光照度の推定値はその影響を受け、正しく算出することができない（誤差が含まれる）。この結果、照明機器１２０＿１〜１２０＿４はサーバ装置１１０により次のように制御される。
【００４２】
すなわち、作業者４０４の周辺は実外光により十分な照度があると誤判断され、作業者４０４の周辺を照射する照明機器（例えば、照明機器１２０＿４）はＯＦＦになる。一方、作業者４０１〜４０３の周辺は実外光により十分な照度が得られていないと誤判断され、作業者４０１〜４０３の周辺を照射する照明機器（例えば、照明機器１２０＿１〜１２０＿３）の照度は上げられる。この結果、作業者４０４の周辺は、照度不足となり、作業者４０１〜４０３の周辺は照度過剰となる。
【００４３】
このように、照度センサが配された位置における実外光照度を用いて外光照度推定式を導出する方式の場合、照度センサに対して各種外乱が発生すると、実外光照度の推定値を正しく算出することができず、照明機器の明るさを適切に制御することができない。なお、ここでいう各種外乱には、照度センサに直射日光が入射する場合の他、制御対象となる照明機器以外の照明（机上のランプ等）が点灯（または消灯）した場合、あるいは人や物が横切るなどして、制御対象となる照明機器からの光が遮られる場合等が含まれる。
【００４４】
そこで、以下では照度センサに対して各種外乱が発生した場合でも、照明機器の明るさを正しく制御することが可能なサーバ装置１１０の機能について説明する。なお、以下では、照度センサ１２１＿１、１２１＿２に対して各種外乱が発生した場合について説明するが、照度センサ１２１＿４、１２１＿６等に対して各種外乱が発生した場合も、同様に制御するものとする。
【００４５】
＜５．サーバ装置の機能構成＞
図５は、本実施形態に係るサーバ装置１１０の機能構成を示す図である。図５に示す各機能は、例えば、照明制御プログラム１１１がＣＰＵ３０１により実行されることで実現される。
【００４６】
図５に示すように、サーバ装置１１０は、照度データ取得部５０１、照度データ解析部５０２、照明制御部５０３を有する。
【００４７】
照度データ取得部５０１は、所定周期ごとに照度センサ１２１＿１、１２１＿２により測定された照度データを、ネットワーク１４０を介して取得する。
【００４８】
照度データ解析部５０２は、照度データ取得部５０１にて取得された照度データに基づいて照度センサ１２１＿１、１２１＿２が配された位置における実外光照度を算出する。また、照度データ解析部５０２は、算出した実外光照度の時間変化を解析し、単位時間あたりの実外光照度の変化量を算出する。更に、照度データ解析部５０２は、単位時間あたりの実外光照度の変化量が所定量以上となる状態が連続しているか否かを判定し、当該判定結果に応じて、照度センサ１２１＿１または１２１＿２に直射日光が入射しているか否かを判定する。
【００４９】
更に、照度データ解析部５０２は、算出した実外光照度の単位時間あたりの変化量と、判定結果とに応じて、外光照度推定式を導出する。そして、導出した外光照度推定式を用いて作業空間１２０の各位置（ここでは照明機器１２０＿１〜１２０＿４が配された列における各位置）における実外光照度の推定値を算出する。
【００５０】
照明制御部５０３は、照度データ解析部５０２において算出された、作業空間１２０内の各位置における実外光照度の推定値と、予め設定された作業空間１２０内の各位置における照度の目標値とを取得する。更に、取得した実外光照度の推定値と照度の目標値とを用いて、照明機器１２０＿１〜１２０＿４を制御するための制御値を出力する。
【００５１】
推定値情報ＤＢ１１２には、照度データ解析部５０２において算出された、作業空間１２０内の各位置における実外光照度の推定値を格納する。
【００５２】
＜６．照明制御システムによる照明機器の制御＞
次に、照明制御システム１００による照明機器の制御について説明する。図６は、照明制御システム１００における照明機器を制御するための制御ブロックを示す図である。
【００５３】
図６に示すように、照明制御部５０３は、目標値と実外光照度の推定値との差分値に基づいて、制御値を出力する。照明機器１２０＿１〜１２０＿４は、それぞれ、照明制御部５０３から出力された制御値に応じて動作する。これにより、照明機器１２０＿１〜１２０＿４は、照明制御部５０３から出力された制御値に応じた明るさに制御される。
【００５４】
図７は、目標値と実外光照度の推定値との関係を示す図である。図７において、横軸は１日の時刻を示しており、縦軸は照度を示している。図７に示すように、実外光照度の推定値は、太陽高度の上昇とともに上がり、太陽高度の下降とともに下がる。
【００５５】
なお、一般に、ブラインド等により窓２０１から直射日光が入射していない状態の作業空間１２０において、太陽高度の上昇とともに変化する実外光照度の単位時間あたりの変化量は、約０．１［ｌｘ／ｓ］である。また、太陽高度の下降とともに変化する実外光照度の単位時間あたりの変化量は、約−０．４［ｌｘ／ｓ］である。なお、太陽高度が同じで、雲によって太陽が見え隠れする場合の実外光照度の単位時間あたりの変化量は、約±１．５[ｌｘ／ｓ]である。
【００５６】
照明制御部５０３では、実外光照度の推定値と目標値との差分値を補うように、制御値を決定する。このため、直射日光が入射していない状態において、照明制御部５０３より出力される制御値は、全体として、太陽高度の上昇とともに下がり、太陽高度の下降とともに上がる。また、雲によって太陽が見え隠れすることで細かく上下する。
【００５７】
図６の説明に戻る。照明機器１２０＿１〜１２０＿４が制御値に応じた明るさに制御された状態で、照度センサ１２１＿１〜１２１＿２では、配置された位置における照度を測定し、照度データを出力する。出力された照度データは、照度データ解析部５０２に入力される。
【００５８】
照度データ解析部５０２は、実外光照度算出部６０１と、判定部６０２と、実外光照度推定部６０３とを有する。実外光照度算出部６０１では、照度センサ１２１＿１〜１２１＿２から出力された照度データと、照明制御部５０３から出力された制御値とに基づいて、照度センサ１２１＿１、１２１＿２が配された位置における実外光照度を算出する。
【００５９】
判定部６０２は、算出した実外光照度の単位時間あたりの変化量に基づいて、照度データに含まれる各種外乱の有無を判定する。また、判定部６０２は、算出した実外光照度の単位時間あたりの変化量に基づいて、照度センサ１２１＿１、１２１＿２に対して各種外乱が発生しているか否かを判定する。
【００６０】
実外光照度推定部６０３は、判定部６０２の判定結果に応じて、外光照度推定式の係数ａ、ｂを決定する際に用いられる、実外光照度を決定する。これにより、各種外乱の影響を排除した外光照度推定式を導出することができる。実外光照度推定部６０３は、更に、導出した外光照度推定式を用いて、作業空間１２０の各位置における実外光照度の推定値を算出する。
【００６１】
実外光照度推定部６０３において算出された、作業空間１２０の各位置における実外光照度の推定値は、目標値との差分値が算出された後、照明制御部５０３に入力される。
【００６２】
以上の制御ループを繰り返すことで、サーバ装置１１０では、照明機器１２０＿１〜１２０＿４の明るさを適切に制御することができる。
【００６３】
＜７．照度データ解析部における解析処理の概要＞
次に、照度データ解析部５０２における解析処理の概要について説明する。なお、以下では説明の簡略化のため、照度センサ１２１＿２により測定された照度データの解析処理について説明する。
【００６４】
（１）平常時（各種外乱が発生していない場合）の処理
図８は、照度データ解析部５０２における解析処理のうち、平常時（各種外乱が含まれていない場合）の解析処理の概要について説明するための図である。図８において、横軸は１日の時刻を示しており、縦軸は照度を示している。
【００６５】
図８に示すように、所定の時刻において照明機器１２０＿１〜１２０＿４の制御が開始されると、照度センサ１２１＿２による照度データの測定が開始される。これにより、照度データ解析部５０２の実外光照度算出部６０１では照度データを取得し、照度センサ１２１＿２が配された位置における実外光照度を算出する。なお、平常時においては、実外光照度は緩やかに変化する。
【００６６】
図８の下側に、時刻ｔ−２、ｔ−１、ｔにおける実外光照度ｌｘｔ−２、ｌｘｔ−１、ｌｘｔを示す。Δｌｘｔ−１は、時刻ｔ−２における実外光照度ｌｘｔ−２と時刻ｔ−１における実外光照度ｌｘｔ−１との間の変化量を示している。また、Δｌｘｔは、時刻ｔ−１における実外光照度ｌｘｔ−１と時刻ｔにおける実外光照度ｌｘｔとの間の変化量を示している。平常時においては、変化量ｌｘｔ−１、ｌｘｔは所定量（α［ｌｘ］）以下となる。
【００６７】
このため、照度データ解析部５０２の判定部６０２では、各時刻での変化量が所定量以下である場合に、各種外乱が含まれていないと判定する。この場合、実外光照度推定部６０３では、照度センサ１２１＿１、１２１＿２が配された位置における実外光照度を用いて、外光照度推定式を導出する。そして、導出した外光照度推定式を用いて、作業空間１２０の各位置における実外光照度の推定値を算出する。
【００６８】
図８に示すように、平常時においては、照明制御部５０３より出力される制御値も緩やかに変化し、照度データは目標値近傍を推移することとなる。
【００６９】
（２）各種外乱（直射日光以外の外乱）が発生した場合の処理
図９は、照度データ解析部５０２における解析処理のうち、照度センサ１２１＿２に対して各種外乱（直射日光以外の外乱）が発生した場合の解析処理の概要について説明するための図である。各種外乱（直射日光以外の外乱）とは、例えば、照度センサ１２１＿２近傍の作業者（例えば、作業者４０４）が机上のライトを単発的に点灯（または消灯）させた場合が挙げられる。また、照度センサ１２１＿２の近くを人または物が横切ることで、照明機器１２０＿１〜１２０＿４のいずれかから出射した光が一時的に遮られる場合等が挙げられる。
【００７０】
照度センサ１２１＿２に対してデータにこれらの外乱が発生すると、照度データに基づいて算出される、照度センサ１２１＿２が配された位置における実外光照度にも影響が及ぶ。図９の下側に、時刻ｔにおいて照度センサ１２１＿２に対して各種外乱（直射日光以外の外乱）が発生した場合に算出される実外光照度を示す。実外光照度９０１、９０２は、それぞれ、時刻ｔ−２から時刻ｔ＋２の間における実外光照度ｌｘｔ−２〜ｌｘｔ＋２を表している。
【００７１】
このうち、実外光照度９０１は、照度センサ１２１＿２近傍の作業者が机上のライトを時刻ｔで点灯させた場合を示している。実外光照度９０１に示すように、照度センサ１２１＿２近傍の作業者が机上のライトを時刻ｔで点灯させる前の状態（時刻ｔ−２から時刻ｔ−１の間）では、実外光照度９０１は緩やかに変化する。これに対して、時刻ｔで照度センサ１２１＿２近傍の作業者が机上のライトを点灯させると、実外光照度は大きく変化する。この時の変化量Δｌｘｔは、所定量（α［ｌｘ］）より大きくなる。ただし、時刻ｔにおける変化は単発的で、ライトを点灯した後は（時刻ｔ＋１、ｔ＋２では）、実外光照度９０１は再び緩やかに変化する。
【００７２】
このため、判定部６０２では、実外光照度が単発的に変化した場合に、各種外乱（直射日光以外の外乱）が発生したと判定する。この場合、実外光照度推定部６０３では、これ以降の外光照度推定式の導出にあたり、照度センサ１２１＿１、１２１＿２が配された位置における実外光照度から単発的な変化量を除く。つまり、時刻ｔ以降、算出した実外光照度からΔｌｘｔを減算した値を用いて外光照度推定式を導出する。そして、導出した外光照度推定式に基づいて、作業空間１２０の各位置における実外光照度の推定値を算出する。
【００７３】
なお、実外光照度９０１は、机上のライトを点灯した場合について示しているが、机上のライトを時刻ｔで消灯した場合も同様である。ただし、机上のライトを時刻ｔで消灯した場合、時刻ｔ以降、算出した実外光照度からΔｌｘｔを加算した値を用いて外光照度推定式を導出する。
【００７４】
このように、実外光照度推定部６０３では、照度センサ１２１＿２より取得した照度データに基づいて算出した実外光照度に対して、単発的な外乱による変化量分を減算または加算したうえで、作業空間１２０の各位置における実外光照度の推定値を算出する。
【００７５】
一方、実外光照度９０２は、時刻ｔにおいて照度センサ１２１＿２の近くを人または物が横切ることで、照明機器１２０＿１〜１２０＿４のいずれかから出射された光が一時的に遮られた場合を示している。実外光照度９０２に示すように、照度センサ１２１＿１または１２１＿２の近くを人または物が横切る前の状態（時刻ｔ−２から時刻ｔ−１の間）では、実外光照度９０２は緩やかに変化する。これに対して、時刻ｔで照度センサ１２１＿１または１２１＿２の近くを人または物が横切ると、実外光照度は大きく変化する。この時の変化量Δｌｘｔは、所定量（α［ｌｘ］）より大きくなる。ただし、時刻ｔにおける変化は一時的で、時刻ｔ＋１では元の状態に戻る（時刻ｔ−１における実外光照度と時刻ｔ＋１における実外光照度との差分が所定量（β［ｌｘ］）未満となる）。その後は（時刻ｔ＋１から時刻ｔ＋２では）、実外光照度９０２は再び緩やかに変化する。
【００７６】
このため、判定部６０２では、実外光照度が一時的に変化した場合に、各種外乱（直射日光以外の外乱）が発生したと判定する。この場合、実外光照度推定部６０３では、時刻ｔにおける外光照度推定式を導出するにあたり、時刻ｔ−１における実外光照度を用いる。つまり、時刻ｔにおける実外光照度ｌｘｔを、時刻ｔ−１における実外光照度ｌｘｔ−１で置き換えて外光照度推定式を導出する。そして、導出した外光照度推定式に基づいて、作業空間１２０の各位置における実外光照度の推定値を算出する。
【００７７】
このように、実外光照度推定部６０３では、照度センサ１２１＿２より取得した照度データに基づいて算出した実外光照度に対して、一時的な外乱による変化を除去したうえで、作業空間１２０の各位置における実外光照度の推定値を算出する。
【００７８】
以上のとおり、各種外乱（直射日光以外の外乱）が含まれる場合でも、これを除去して実外光照度の推定値を算出するため、図９に示すように、照明制御部５０３より出力される制御値は緩やかに変化し、照度データは目標値近傍を推移することとなる。つまり、単発的または一時的に生じた変化が作業空間１２０全体の照明機器の制御に影響を与えることを排除することができる。
【００７９】
（３）各種外乱（直射日光の入射）が発生した場合の処理
図１０は、照度データ解析部５０２における解析処理のうち、照度センサ１２１＿２に各種外乱（直射日光の入射）が発生した場合の解析処理の概要について説明するための図である。
【００８０】
図１０の下側に、時刻ｔにおいて直射日光が入射された場合の、照度センサ１２１＿２が配された位置における実外光照度を示す。図１０の下側に示すように、直射日光が入射されるまでの状態（時刻ｔ−２から時刻ｔ−１の間）では、実外光照度は緩やかに変化する。これに対して、時刻ｔで直射日光が入射されると、実外光照度は大きく変化する。このときの変化量Δｌｘｔは、所定量（α［ｌｘ］）より大きくなる。更に、直射日光の入射が継続する場合、時刻ｔ＋１での実外光照度も大きく変化する。つまり、変化量Δｌｘｔ＋１についても、所定量（α［ｌｘ］）より大きくなる。なお、一般に、直射日光が入射した場合の実外光照度の単位時間あたりの変化量は、約２５［ｌｘ／ｓ］である。
【００８１】
このため、照度データ解析部５０２の判定部６０２では、単位時間あたりの実外光照度の変化量が所定量を超えている状態が継続した場合には、直射日光が入射したと判定する。上述したとおり、照度センサに直射日光が入射すると、実外光照度の推定値を正しく算出することができない。そこで、実外光照度推定部６０３では、時刻ｔ以降、直射日光が入射される直前の実外光照度を用いて、外光照度推定式を導出する。つまり、時刻ｔ−１における実外光照度ｌｘｔ−１を用いて、外光照度推定式を導出する。そして、導出した外光照度推定式に基づいて、作業空間１２０の各位置における実外光照度の推定値を算出する。
【００８２】
このように、実外光照度推定部６０３では、直射日光の影響を排除したうえで、作業空間１２０の各位置における実外光照度の推定値を算出する。このため、図１０に示すように、直射日光が入射している間、照度センサ１２１により測定される照度データは、目標値を大きく外れる一方で、照明制御部５０３より出力される制御値は一定となる。つまり、直射日光が入射されたことによる局所的な変化が、作業空間１２０全体の照明機器の制御に影響を与えることを排除することができる。
【００８３】
＜８．照度データ解析部における解析処理の詳細＞
次に、照度データ解析部５０２における解析処理の詳細について説明する。図１１は、照度データ解析部５０２における解析処理の流れを示すフローチャートである。図１１に示す解析処理は、照明制御システム１００における照明機器の制御処理が開始されるとともに開始される。
【００８４】
ステップＳ１１０１において、実外光照度算出部６０１は、時刻ｔ−１〜時刻ｔ＋１の各照度データを取得する。また、照度センサ１２１＿２が配された位置における実外光照度ｌｘｔ−１、ｌｘｔ、ｌｘｔ＋１を算出する。
【００８５】
ステップＳ１１０２において、判定部６０２は、時刻ｔにおける実外光照度の変化量Δｌｘｔを算出する。具体的には、実外光照度ｌｘｔ−１とｌｘｔとの間の差分を算出することで、変化量Δｌｘｔを算出する。
【００８６】
ステップＳ１１０３において、判定部６０２は、時刻ｔにおける変化量が所定量（α［ｌｘ］）を超えているか否かを判定する。ステップＳ１１０３において、所定量を超えていないと判定した場合には、平常時の処理を実行するためステップＳ１１０４に進む。
【００８７】
ステップＳ１１０４において、実外光照度推定部６０３は、照度センサ１２１＿２が配された位置における時刻ｔにおける実外光照度ｌｘｔから補正量ΔＣを減算する。なお、補正量ΔＣは、時刻ｔよりも前に、照度センサ１２１＿２近傍のライトが点灯または消灯されることで実外光照度が単発的に変化した場合の変化量の蓄積値である。実外光照度推定部６０３では、実外光照度ｌｘｔから補正量ΔＣを減算（または加算）した値を用いて、作業空間１２０の各位置における、時刻ｔにおける実外光照度の推定値を算出する。なお、ここでは、補正量ΔＣはゼロであるとする。
【００８８】
ステップＳ１１０５において、実外光照度推定部６０３は、時刻ｔをインクリメントし、ステップＳ１１０６に進む。ステップＳ１１０６において、照度データ解析部５０２の実外光照度算出部６０１は、照明機器の制御処理が終了したか否かを判定する。終了していないと判定した場合には、ステップＳ１１０１に戻り、インクリメントされた時刻ｔにおける照度データについて、ステップＳ１１０１からステップＳ１１０５の処理を繰り返す。
【００８９】
ここで、ステップＳ１１０３において、時刻ｔにおける変化量が所定量（α［ｌｘ］）を超えていると判定した場合には、ステップＳ１１０７に進む。ステップＳ１１０７において、判定部６０２は、照度センサ１２１＿２が配された位置における時刻ｔ＋１における実外光照度の変化量Δｌｘｔ＋１が、所定量（α［ｌｘ］）を超えているか否かを判定する。
【００９０】
ステップＳ１１０７において、所定量を超えていないと判定した場合には、単発的な外乱に対する処理を行うため、ステップＳ１１０８に進む。ステップＳ１１０８において、判定部６０２は、実外光照度の補正量ΔＣに、時刻ｔにおける変化量Δｌｘｔを加算する。その後、ステップＳ１１０４に進む。この場合、ステップＳ１１０４において、実外光照度推定部６０３は、実外光照度ｌｘｔから補正量ΔＣを減算した値を用いて外光照度推定式を導出する。そして、導出した外光照度推定式を用いて時刻ｔにおける作業空間１２０の各位置における実外光照度の推定値を算出する。以降、実外光照度の推定値の算出に際しては、補正量ΔＣが減算された実外光照度が用いられることになる。
【００９１】
一方、ステップＳ１１０７において、所定量を超えていると判定した場合には、ステップＳ１１０９に進む。ステップＳ１１０９において、照度データ解析部５０２の判定部６０２は、時刻ｔ−１における実外光照度ｌｘｔ−１と時刻ｔ＋１における実外光照度ｌｘｔ＋１との差分が所定量（β［ｌｘ］）未満か否かを判定する。
【００９２】
ステップＳ１１０９において、時刻ｔ−１における実外光照度ｌｘｔ−１と時刻ｔ＋１における実外光照度ｌｘｔ＋１との差分が所定量（β［ｌｘ］）未満と判定した場合には、一時的な外乱に対する処理を行うため、ステップＳ１１１０に進む。
【００９３】
ステップＳ１１１０において、判定部６０２は、照度センサ１２１＿１が配された位置における時刻ｔにおける実外光照度ｌｘｔに、ｌｘｔ−１を代入する。その後、ステップＳ１１０４に進む。この場合、ステップＳ１１０４では、時刻ｔ−１における実外光照度ｌｘｔ−１から補正量ΔＣ（ここではゼロ）を減算した値を用いて外光照度推定式を導出する。そして、導出した外光照度推定式を用いて、作業空間１２０の各位置における、時刻ｔでの実外光照度の推定値を算出する。
【００９４】
一方、ステップＳ１１０９において、時刻ｔ−１における実外光照度ｌｘｔ−１と時刻ｔ＋１における実外光照度ｌｘｔ＋１との差分が所定量（β［ｌｘ］）以上であると判定した場合には、直射日光の入射に対する処理を行うため、ステップＳ１１１１に進む。ステップＳ１１１１において、判定部６０２は、照度センサ１２１＿２が配された位置における時刻ｔ−１における実外光照度ｌｘｔ−１を保存値ｌｘＴとして保存する。その後、図１２のステップＳ１２０１に進む。
【００９５】
ステップＳ１２０１において、実外光照度推定部６０３は、保存値ｌｘＴが保存されてからＮ秒が経過したか否かを判定する。なお、Ｎ秒とは、例えば、照度センサ１２１＿２に直射日光が入射されてから、作業者がブラインド等を操作し、直射日光の入射を遮るまでの時間である。
【００９６】
ステップＳ１２０１において、Ｎ秒が経過していないと判定した場合には、ステップＳ１２０２に進む。ステップＳ１２０２において、実外光照度推定部６０３は、保存値ｌｘＴから補正量ΔＣ（ここではゼロ）を減算した値を用いて外光照度推定式を導出する。そして、導出した外光照度推定式を用いて、作業空間１２０の各位置における、時刻ｔでの実外光照度の推定値を算出する。
【００９７】
ステップＳ１２０３において、実外光照度推定部６０３は、時刻ｔをインクリメントする。その後ステップＳ１２０１に戻り、Ｎ秒が経過したと判定されるまで、ステップＳ１２０１、Ｓ１２０２の処理を繰り返す。すなわち、保存値ｌｘＴを保存した後は、実外光照度ｌｘｔ−１（直射日光が入射される直前の実外光照度）を用いて、作業空間１２０の各位置における実外光照度の推定値を算出する処理を所定時間継続する。
【００９８】
ステップＳ１２０１において、Ｎ秒が経過したと判定した場合には、ステップＳ１２０４に進む。ステップＳ１２０４において、照度データ解析部５０２の実外光照度算出部６０１は、時刻ｔ―１、時刻ｔの照度データを取得し、実外光照度ｌｘｔ−１、ｌｘｔを算出する。なお、ここでの時刻ｔ−１は保存値ｌｘＴが保存されてからＮ−１秒が経過した時刻であり、ここでの時刻ｔは、保存値ｌｘＴが保存されてからＮ秒が経過した時刻である。
【００９９】
ステップＳ１２０５において、判定部６０２は、時刻ｔにおける実外光照度の変化量Δｌｘｔが所定量（α［ｌｘ］）未満であるか否かを判定する。また、判定部６０２は、時刻ｔにおける実外光照度ｌｘｔと、保存値ｌｘＴに対して、Ｎ秒の間に太陽高度が変化したことに伴って変化した実外光照度の変化量を加算した値とを比較する。
【０１００】
具体的には、実外光照度ｌｘｔとｌｘＴ±Ｎ×γとを比較し、時刻ｔにおける実外光照度ｌｘｔが、ｌｘＴ±Ｎ×γ未満か否かを判定する。なお、γは、太陽高度が変化したことに伴う、単位時間あたりの実外光照度の変化量（例えば、２５［ｌｘ／ｓ］）である。したがって、Ｎ×γは、Ｎ秒の間に太陽高度が変化したことに伴って変化した、実外光照度の変化量である。
【０１０１】
ステップＳ１２０５において、変化量Δｌｘｔが所定量（α［ｌｘ］）未満であり、かつ、実外光照度ｌｘｔがｌｘＴ±Ｎ×γ未満であると判定した場合（つまり、比較結果が所定量未満であると判定した場合）には、図１１のステップＳ１１０４に進む。この場合、ステップＳ１１０４では、実外光照度ｌｘｔから補正量ΔＣを減算した値を用いて外光照度推定式を導出する。そして、導出した外光照度推定式を用いて、時刻ｔ（Ｎ秒経過した値である時刻ｔ）における作業空間１２０の各位置における実外光照度の推定値を算出する。つまり、平常時の処理に戻る。
【０１０２】
一方、ステップＳ１２０５において、変化量Δｌｘｔが所定量（α［ｌｘ］）以上であるか、実外光照度ｌｘｔがｌｘＴ±Ｎ×γ以上であると判定した場合には、ステップＳ１２０６に進む。
【０１０３】
ステップＳ１２０６において、判定部６０２は、実外光照度ｌｘｔに保存値ｌｘｔを代入し、図１１のステップＳ１１０４に進む。この場合、ステップＳ１１０４において、実外光照度推定部６０３は、実外光照度ｌｘｔから補正量ΔＣ（ここではゼロ）を減算した値を用いて外光照度推定式を導出する。そして、導出した外光照度推定式を用いて、作業空間１２０の各位置における、時刻ｔでの実外光照度の推定値を算出する。
【０１０４】
このように、照度データ解析部５０２では、平常時には、照度データに基づいて算出した、照度センサが配された位置における実外光照度を用いて、作業空間１２０の各位置における実外光照度の推定値を算出する。また、照度データに各種外乱が含まれる場合には、各種外乱が生じる直前の実外光照度または補正量ΔＣを減算した値を用いて、作業空間１２０の各位置における実外光照度の推定値を算出する。更に、照度センサに直射日光が入射される場合には、Ｎ秒間、直射日光が入射される直前の実外光照度を用いて、作業空間１２０の各位置における実外光照度の推定値を算出する。
【０１０５】
つまり、照度データ解析部５０２では、照度センサ周辺の局所的または一時的、単発的な照度データの変化が、作業空間の各位置における実外光照度の推定値の算出に影響することがないように、照度センサが配された位置における実外光照度を決定する。これにより、各種外乱の影響を排除した実外光照度に基づいて実外光照度の推定値を算出することが可能となり、照明機器１２０＿１〜１２０＿４の明るさを適切に制御することができるようになる。
【０１０６】
図１３は、直射日光が入射された場合の制御値の変化を示す図である。図１３に示すように、照度データ解析部５０２において直射日光が入射されていると判定した場合、照度センサが配された位置における実外光照度は、直射日光が入射される直前の実外光照度がＮ秒間用いられる。
【０１０７】
このため、Ｎ秒間、照明制御部５０３より出力される制御値は一定となる。その後、直射日光の入射が遮断された場合には、実外光照度は、太陽高度に応じた照度となる。なお、Ｎ秒の間、直射日光が入射する照度センサの照度データは、目標値よりも高い状態が維持される。しかし、照明制御部５０３より出力される制御値は一定であるため、作業空間において直射日光が入射された領域以外の領域については、目標値近傍の照度が維持されることとなる。
【０１０８】
＜９．まとめ＞
以上の説明から明らかなように、本実施形態に係るサーバ装置では、
・作業空間内に配された照度センサにより測定された照度データに基づいて、照度センサが配された位置における実外光照度を算出する構成とした。また、照度センサが配された位置における実外光照度に基づいて、作業空間の各位置における実外光照度の推定値を算出する構成とした。
・照度センサが配された位置における実外光照度を算出するにあたり、外乱（直射日光の入射以外の外乱）が発生したと判定された場合には、外乱が発生する直前の実外光照度または外乱分の補正量を減算した値を用いる構成とした。
・照度センサが配された位置における実外光照度を算出するにあたり、外乱（直射日光の入射）が発生したと判定された場合には、Ｎ秒間、直射日光が入射される直前の実外光照度を用いる構成とした。
・照度センサへの直射日光の入射が遮断されたか否かを判定するにあたり、太陽高度の変化に伴う照度の変化量を考慮する構成とした。
【０１０９】
これにより、本実施形態に係るサーバ装置によれば、照度センサ周辺の局所的または一時的、単発的な変化が、作業空間における実外光照度の推定値の算出に影響することがないように、照度センサが配された位置における実外光照度を決定することが可能となる。この結果、作業空間全体の照度を適切に制御することができるようになり、作業空間の快適性を維持することが可能となる。
【０１１０】
［第２の実施形態］
上記第１の実施形態では、各種外乱が発生したか否かを判定する際に用いる所定量（α［ｌｘ］）の具体例について言及しなかったが、所定量（α［ｌｘ］）は、例えば、直射日光が入射した場合の実外光照度の単位時間あたりの変化量より小さく設定してもよい。また、雲によって太陽が見え隠れする場合の実外光照度の単位時間あたりの変化量より大きく設定してもよい。
【０１１１】
また、上記第１の実施形態では、照明制御システム１００による照明機器の制御周期について具体的に言及しなかったが、照明制御システム１００による照明機器の制御周期は例えば、１［秒］としてもよい。
【０１１２】
また、上記第１の実施形態では、単位時間あたりの実外光照度の変化量が所定量（α［ｌｘ］）を１回超えた場合に、一時的な外乱が発生したと判定したが、一時的な外乱が発生したと判定するための判定基準はこれに限定されない。同様に、上記第１の実施形態では、単位時間あたりの実外光照度の変化量が所定量（α［ｌｘ］）を２回連続して超えた場合に、直射日光が入射したと判定したが、直射日光が入射したと判定するための判定基準はこれに限定されない。
【０１１３】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０１１４】
１００                  ：照明制御システム
１１０                  ：サーバ装置
１１１                  ：照明制御プログラム
１２０                  ：作業空間
１２０＿１〜１２０＿ｎ  ：照明機器
１２１＿１〜１２１＿ｍ  ：照度センサ
１３０                  ：作業空間
１３０＿１〜１３０＿ｉ  ：照明機器
１３１＿１〜１３１＿ｊ  ：照度センサ
２０１〜２０３          ：窓
５０１                  ：照度データ取得部
５０２                  ：照度データ解析部
５０３                  ：照明制御部
６０１                  ：実外光照度算出部
６０２                  ：判定部
６０３                  ：実外光照度推定部
【先行技術文献】
【特許文献】
【０１１５】
【特許文献１】特開２０１２−１７４６１８号公報
【図１】
2016042423.tif 000003
【図２】
2016042423.tif 000004
【図３】
2016042423.tif 000005
【図４】
2016042423.tif 000006
【図５】
2016042423.tif 000007
【図６】
2016042423.tif 000008
【図７】
2016042423.tif 000009
【図８】
2016042423.tif 000010
【図９】
2016042423.tif 000011
【図１０】
2016042423.tif 000012
【図１１】
2016042423.tif 000013
【図１２】
2016042423.tif 000014
【図１３】
2016042423.tif 000015